(57)【特許請求の範囲】
【請求項１】
土中に残存している不使用の配管に充填材の充填を行う充填方法であって、
前記配管の一端を地面から掘った立坑内に開放する工程と、
前記配管の内径とほぼ同じ外径を有する円盤部材を充填材の吐出を行う充填ホースの先端部に外嵌させて取り付け、この円盤部材が取り付けられた充填ホースの先端部を前記配管の一端側から挿入して土中に閉鎖されている他端側の端部側に到達する位置まで侵入させる工程と、
前記他端側の端部と前記円盤部材との間に前記充填ホースの先端部から充填材を吐出させ、前記端部と前記円盤部材との間に充填材を充満させて、前記円盤部材を前記一端側までスライドさせる工程とを有することを特徴とする配管内への充填材の充填方法。
【請求項２】
前記円盤部材の少なくとも配管の内周面に接触する外周部分を弾性材によって形成する請求項１に記載の配管内への充填材の充填方法。
【発明の詳細な説明】
【０００１】
【発明の属する技術分野】
この発明は、地中に残置される配管内に充填材を充填する際の充填材の充填方法に関する。
【０００２】
【発明が解決しようとする課題】
一般家庭やビル等に引き込まれるガス管や給水管などは、図７に示されるように、道路下などに埋設された本支管Ｐ１から供給管Ｐ２が分岐されて、この本支管Ｐ１が、敷地内の土中を通って、家屋Ｈやビルなどに引き込まれている。
この図７中、ＧＭおよびＧＳは、それぞれ供給管Ｐ２に接続されたガスメータおよびガス栓である。
このような本支管Ｐ１と供給管Ｐ２の接続は、図８に示されるように、サービスチーＳＣおよびエルボＥL等を介して行われている。
【０００３】
このような土中に埋設された配管は、家屋Ｈやビルが取り壊される際には、原則として掘上撤去されるが、種々の理由により撤去出来ない場合には、家屋Ｈやビルの取り壊しの際に、供給管Ｐ２を本支管Ｐ１から切り離し、その末端部にプラグ止めなどの処置を施して土中に残置している。
【０００４】
しかしながら、このような不使用の配管が土中に残置されていると、新たな建築工事などによる敷地の掘削によって土中の配管が露出された際に、その配管が、現在ガス等の供給を行っているいわゆる使用管なのか、または、土中に残置された不使用管なのかの判断を行うことが難しい場合が生じる。
露出された配管が使用管である場合にはその撤去工事を行うとガスの噴出などの事故を招く虞があるので、使用管か不使用管かの検査を行ったり、さらには、その配管の担当企業に問い合わせを行う等の必要が生じ、このため、工事を一時中断しなければならない等の問題が発生する。
【０００５】
また、配管が土中に残置されていると、この配管が腐食して潰れたりした場合に、地盤沈下の原因になるという問題がある。
このため、本発明の出願人は、土中に残置された配管が不使用管であることを表示するための新規な方法を提案している。
【０００６】
この配管の不使用表示方法は、図３に示される第１工程において、種々の理由により配管Ｐを土中に残置することが決定されると、地面ＧＬに立坑１を掘って、残置する配管Ｐの端部Ｐａをこの立坑１内に露出させる。
そして、この露出された端部Ｐａから配管Ｐ内に内面カッタ装置２を進入させ、この内面カッタ装置２をフレキシブルシャフト３による牽引または押し込みによって配管Ｐ内を移動させながら、駆動装置４による駆動によって配管Ｐの管壁を内側から所定間隔ごとに円周方向に沿って切断してゆく。
【０００７】
そして、図４に示される第２工程において、内面カッタ装置２が引き出された配管Ｐ内に、充填ホース５を、立坑１内に露出している端部Ｐａから配管Ｐ内に挿入し、この充填ホース５の地上側の端部を充填材タンク６Ａを有する充填装置６に接続した後、充填装置６を駆動することによって、充填材Ｒを充填ホース５から配管Ｐ内に圧入してゆくものである。
【０００８】
そして、この配管の不使用表示方法によれば、配管Ｐ内に充填される充填材Ｒが、第１工程において配管Ｐの管壁にその円周方向に沿って形成された切断部の隙間ｓから外側に食み出して、配管Ｐの管壁の外周面上に盛り上がり、リング状のこぶｍを作って固まることにより、後に、この配管Ｐが家屋の新築工事による地面の掘削工事等によって掘り出された際に、その作業者が、こぶｍによって、その配管Ｐが土中に残置された不使用管であることを直ぐに判別することができる。
【０００９】
これによって、従来のように、工事を一時中断してその配管Ｐの担当企業に問い合わせをするなどの煩雑な手間を省くことが出来、さらに、土中に残置される配管Ｐ内に充填材Ｒが充填されていることによって、万一腐食等によって配管Ｐの管壁がもろくなったような場合でも、土の圧力によって配管Ｐが潰れて地盤沈下が生じるのを防止することが出来るというものである。
【００１０】
しかしながら、上記のような配管の不使用表示方法においては、充填ホース５の開口部から配管Ｐ内の一箇所に送り出される充填材Ｒを配管Ｐ内の全体に充満させる必要があるので、大きな充填圧力が必要となり、充填装置６に動力の大きなものを使用する必要がある。
さらに、図５に示されるように、充填完了後に配管Ｐ内から充填ホース５を引き出す際に、配管Ｐ内に充填された充填材Ｒ内に空洞ｎが生じる虞がある。
なお、図５中、７は、充填材Ｒの充填の際に配管Ｐの開口端Ｐａに取り付けられる空気抜きである。
【００１１】
また、図６に示されるように、充填ホース５’の先端部を配管Ｐの開口端Ｐａに固定して、充填材Ｒの充填を行う場合には、配管Ｐの奥の部分に充填材Ｒが充填され難く、配管Ｐの全体に充填材Ｒを充満させるのが難しくなる。
さらに、この場合には、配管Ｐ内に空気抜き管８を挿入しておく必要が有り、作業が繁雑になるとともに、小口径の配管の場合には、施工が困難である。
【００１２】
この発明は、配管内に充填材を充填する際の問題点を解決するためになされたものである。
すなわち、この発明は、残置管に不使用表示を行うための充填材を配管内に、小さな動力でしかも隙間無く均一に充填することが出来、また、小口径の配管にも適用することが出来る充填材の充填方法を提供することを目的とする。
【００１３】
【課題を解決するための手段】
上記目的を達成するために本発明は、土中に残存している不使用の配管に充填材の充填を行う充填方法であって、前記配管の一端を地面から掘った立坑内に開放する工程と、前記配管の内径とほぼ同じ外径を有する円盤部材を充填材の吐出を行う充填ホースの先端部に外嵌させて取り付け、この円盤部材が取り付けられた充填ホースの先端部を前記配管の一端側から挿入して土中に閉鎖されている他端側の端部側に到達する位置まで侵入させる工程と、前記他端側の端部と前記円盤部材との間に前記充填ホースの先端部から充填材を吐出させ、前記端部と前記円盤部材との間に充填材を充満させて、前記円盤部材を前記一端側までスライドさせる工程とを有することを特徴としている。
【００１４】
この配管内への充填材の充填方法は、円盤部材が取り付けられた充填ホースの先端部を、配管の開口端側から挿入して、配管の反対側の閉鎖されている端部に到達するまで進入させ、この状態で、充填ホースに接続されたコンプレッサによって充填材を充填ホースの先端部から配管内に吐出させる。これによって、配管内に吐出された充填材が配管の閉鎖されている端部と外周面が配管の管壁内面に摺動自在に密着している円盤部材との間に充満し、その圧力によって円盤部材が付勢されて、充填ホースとともに配管の開口端の方向にスライドされてゆく。
【００１５】
このようにして、円盤部材とともに配管の開口端の方向に後退する充填ホースの先端部から充填材が吐出されていって、閉鎖されている配管の端部と円盤部材との間に隙間なく充填材が充填されてゆく。
そして、円盤部材が配管の開口端まで押し出されて来ると、円盤部材が配管から外れて、充填ホースが自動的に抜き出される。
【００１６】
以上のように、上記第１の発明によれば、充填ホースの先端部が、吐出した充填材の圧力によって順次後退しながら充填材を吐出してゆくので、小さな動力で配管内に均一に充填材を充填してゆくことができ、空気抜き等の取り付けも不要となる。
さらに、充填材が配管の開口端まで充填されると、自動的に充填ホースが配管内から離脱するので、充填ホースの引き抜きなどの作業が不要になり、この充填ホースの引き抜きによって空洞が形成されるなどの虞がなくなる。
そして、円盤部材の外径を適宜設定することによって、小口径の配管についても適用が可能である。
【００１７】
第２の発明による配管内への充填材の充填方法は、前記目的を達成するために、第１の発明の構成に加えて、前記円盤部材の少なくとも配管の内周面に接触する外周部分を弾性材によって形成することを特徴としている。
【００１８】
この第２の発明による配管内への充填材の充填方法によれば、充填材の充填を行う配管の管壁内面に接触する円盤部材の外周部分が弾性材によって形成されていることにより、この円盤部材が配管の管壁内面にこの管壁内面を傷つけることなく摺動自在に接触され、さらに、円盤部材の外周面と配管の管壁内面との間の密着性が増加されるので、充填ホースから吐出される充填材が円盤部材の後側に漏れ出すのが防止される。
【００１９】
【発明の実施の形態】
以下、この発明の最も好適と思われる実施の形態について、図面を参照しながら詳細に説明を行う。
図１は、この発明による充填材の充填方法を実施した際の充填の開始時の状態を示す図であり、図２は、充填中の状態を示す図である。
【００２０】
この図１および２において、配管Ｐ内に挿入される充填ホース１０の先端部に、外径が配管Ｐの内径とほぼ同じ円盤状のゴム板１１が同軸状に外嵌されて、固定されている。
このゴム板１１の厚さおよび材質は、充填材Ｒの粘性および充填圧力等の諸条件によって選択される。
また、ゴム板１１の外径と配管Ｐの内径との誤差を適宜設定することによって、ゴム板１１の外周面と配管Ｐの管壁内面との密着度も任意に設定される。
【００２１】
土中に残置される配管Ｐ内に充填材Ｒを充填する際には、ゴム板１１が取り付けられた充填ホース１０の先端部を、配管Ｐの開口端側から挿入して、図１に示されるように、配管Ｐの反対側の端部を閉鎖している遮蔽板Ｐｂに到達するまで進入させる。
【００２２】
次に、この図１の状態から充填ホース１０に接続された図示しないコンプレッサによって充填材Ｒを充填ホース１０の先端開口部１０ａから配管Ｐ内に吐出させる。
これによって、この配管Ｐ内に吐出された充填材Ｒが、配管Ｐの端部を閉鎖している遮蔽板Ｐｂと外周面が配管Ｐの管壁内面に密着しているゴム板１１との間に充満し、その圧力によってゴム板１１を付勢して、充填ホース１０とともに配管Ｐの開口端Ｐａの方向にスライドさせてゆく。
【００２３】
このようにして、図２に示されるように、ゴム板１１とともに配管Ｐの開口端Ｐａの方向に後退する充填ホース１０の先端部から充填材Ｒが吐出されていって、配管Ｐの遮蔽板Ｐｂとゴム板１１との間に隙間なく充填材Ｒが充填されてゆく。
そして、ゴム板１１が配管Ｐの開口端Ｐａまで押し出されて来ると、ゴム板１１が配管Ｐから外れて、充填ホース１０を自動的に抜き出すことが出来る。
【００２４】
なお、ゴム板１１は、全体がゴム材によって形成されている必要はなく、金属製または木製の円盤の外周部のみがゴム材によって形成されていて、配管Ｐの管壁内面に摺動自在に接触するようになっているものでも良い。
また、上記充填材の充填方法は、図３および４に示されるような残置管への不使用表示方法において実施される場合のみならず、配管内に種々の充填材を充填するあらゆる場合について実施することが出来る。
【図面の簡単な説明】
【図１】本発明の実施形態における充填材の充填開始状態を示す説明図である。
【図２】本発明の実施形態における充填材の充填状態を示す説明図である。
【図３】本発明の出願人の提案にかかる配管の不使用表示方法の第１工程を示す工程図である。
【図４】本発明の出願人の提案にかかる配管の不使用表示方法の第２工程を示す工程図である。
【図５】図４の第２工程における充填材の充填方法の一例を示す説明図である。
【図６】図４の第２工程における充填材の充填方法の他の例を示す説明図である。
【図７】家屋にガスを供給するガス管の配管の状態を説明するための説明図である。
【図８】図７において本支管と供給管の接続構造を示す斜視図である。
【符号の説明】
１０  …充填ホース
１０ａ…先端開口部
１１  …ゴム板（円盤部材）
Ｐ  …配管
Ｐａ…開口部
Ｐｂ…遮蔽板
Ｒ  …充填材
【図１】
0004332258.tif 000002
【図２】
0004332258.tif 000003
【図３】
0004332258.tif 000004
【図４】
0004332258.tif 000005
【図５】
0004332258.tif 000006
【図６】
0004332258.tif 000007
【図７】
0004332258.tif 000008
【図８】
0004332258.tif 000009